(57)【要約】【課題】氷の落下をより促進することができる縦型製氷機を提供することを課題とする。【解決手段】互いに隣接する縦リブ８の間を流れる製氷水は冷却パイプ２の周辺に区画されている製氷領域１０において徐々に氷となって氷塊１１を形成すると共に、上下に隣接する製氷領域１０の間を流れる製氷水にも熱伝導部材９を介して冷却パイプ２からの冷熱が伝わり、上下に並んだ氷塊１１の間に氷１２が形成される。このようにして、互いに隣接する縦リブ８の間には、上下方向に配列された複数の氷塊１１が小さな氷１２により一体に連結された連結氷１３が形成される。氷塊１１及び小さな氷１２の製氷板１との接触部が融解すると、氷塊１１及び小さな氷１２は自重により製氷板１から一体に離れて落下し、落下の衝撃により小さな氷１２が砕けて各氷塊１１は互いに分離しバラバラな状態となる。【選択図】        図２
2004184020.tif 000002
【特許請求の範囲】
【請求項１】
製氷板の表面に形成され且つ上下方向に延びる複数の縦リブの間にそれぞれ複数の製氷領域が上下方向に配列形成され、各製氷領域にて氷塊を製造する縦型製氷機において、
互いに隣接する縦リブの間に配列形成された複数の製氷領域に渡って上下方向に延びるとともに製氷板より熱伝導率の高い熱伝導部材が製氷板の裏面に貼付され、
前記熱伝導部材に対応する位置に形成された氷により上下に隣接する氷塊の間が部分的に連結されることを特徴とする縦型製氷機。
【発明の詳細な説明】
【０００１】
【発明の属する技術分野】
本発明は、縦方向に延長した製氷板を備える縦型製氷機に関するものである。
【０００２】
【従来の技術】
図４に、特許文献１に開示された従来の縦型製氷機の製氷板近傍を示す。製氷板１４の表面には、上下方向に延びる複数の縦リブ１５が形成されている。各縦リブ１５は、隣接する縦リブ１５に対して製氷板１４の幅方向に一定間隔で離隔している。かかる複数の縦リブ１５により、製氷板１４の表面に生成される氷の幅方向寸法が規定されるようになっている。また、隣接する縦リブ１５の間には、それぞれ、上下方向に等間隔で離隔する複数の氷落下促進用の凸部１６が設けられている。一方、製氷板１４の裏面には、図示しない冷凍回路の蒸発器として作用する冷却パイプ１７が取り付けられている。
【０００３】
【特許文献１】
特開２００１−９１１１７号公報
【０００４】
かかる製氷機の製氷サイクル時において、製氷板１４の上部に設けられた散水器１８から製氷板１４の表面に製氷水が流される。製氷水は冷却パイプ１７によって冷却され、冷却パイプ１７の反対側にあたる製氷板１４の表面部分に、図５に実線で示されるようなほぼ蒲鉾形状の氷塊２０をそれぞれ生成する。また、除氷サイクル時においては、散水器１９からほぼ常温の除氷水が製氷板１４の裏面に散水され、それぞれの氷塊２０の製氷板１４表面と接触する部分が僅かに融解されることにより、氷塊２０が自重により下方にスライドし、図５にて一点鎖線で示すように凸部１６に乗り上げて製氷板１４から離脱して落下するように企図されている。
【０００５】
【発明が解決しようとする課題】
しかしながら、上述した縦型製氷機では、生成された各氷塊２０を個別に製氷板１４から落下させるようにしているため、各氷塊２０における製氷板１４との接触部の融解のバラツキに起因して、全ての氷塊２０を落下させるまでに時間がかかるという問題点がある。また、その結果、除氷水の使用量が多くなると共に、氷塊２０からの融解量が多くなるおそれがある。
【０００６】
従って、本発明は、このような従来の問題を解決するためになされたものであり、氷の落下をより促進することができる縦型製氷機を提供することを目的とする。
【０００７】
【課題を解決するための手段】
上述の目的を達成するため、本発明は、製氷板の表面に形成され且つ上下方向に延びる複数の縦リブの間にそれぞれ複数の製氷領域が上下方向に配列形成され、各製氷領域にて氷塊を製造する縦型製氷機において、互いに隣接する縦リブの間に配列形成された複数の製氷領域に渡って上下方向に延びるとともに製氷板より熱伝導率の高い熱伝導部材が製氷板の裏面に貼付され、前記熱伝導部材に対応する位置に形成された氷により上下に隣接する氷塊の間が部分的に連結されるものである。
【０００８】
【発明の実施の形態】
以下、この発明の実施の形態を添付図面に基づいて説明する。
図１に本実施の形態に係る縦型製氷機の構成を示す。鉛直方向に立設された製氷板１の裏面に冷却パイプ２が水平方向に蛇行して取り付けられ、この冷却パイプ２に冷媒供給回路３が接続されている。冷媒供給回路３は、圧縮機、凝縮器及び膨張弁等を含み、蒸発器として作用する冷却パイプ２と共に冷凍回路を構成している。また、製氷板１の上部には、製氷板１の表面に製氷水を散布するための製氷用散水器４と製氷板１の裏面に除氷水を散布するための除氷用散水器５が配設され、製氷用散水器４に製氷水供給部６が、除氷用散水器５に除氷水供給部７がそれぞれ接続されている。
【０００９】
製氷板１の表面には互いに平行な複数の縦リブ８が上下方向に延びて突出形成されており、製氷板１の裏面には互いに隣接する縦リブ８の間でそれぞれ上下方向に延びるように複数の帯状の熱伝導部材９が貼付されている。
図２に示されるように、互いに隣接する縦リブ８の間で且つ冷却パイプ２の周辺にそれぞれ氷塊を形成するためのほぼ矩形状の複数の製氷領域１０が上下方向に互いに離間して区画されている。熱伝導部材９は互いに隣接する縦リブ８の間隔より狭い幅を有し、上下方向に配列された複数の製氷領域１０に渡って延びている。
また、図３に示されるように、熱伝導部材９は製氷板１の裏面に直接ろう付けされており、この熱伝導部材９と製氷板１の裏面の上に冷却パイプ２がろう付けされている。なお、熱伝導部材９は製氷板１よりも高い熱伝導率を有する材質から形成されている。
【００１０】
次に、この縦型製氷機の動作について説明する。まず、製氷サイクル時には、冷媒供給回路３から低温の冷媒が冷却パイプ２に流入すると共に、製氷水供給部６から製氷用散水器４に製氷水が供給され、この製氷水が製氷用散水器４から製氷板１の表面上に散布されて流下する。互いに隣接する縦リブ８の間を流れる製氷水は冷却パイプ２の周辺に区画されている製氷領域１０において徐々に氷となり、図２及び図３に示されるように、ここにほぼ蒲鉾形状の氷塊１１を形成する。
【００１１】
このとき、製氷板１の裏面には複数の製氷領域１０に渡って上下方向に延びる熱伝導性の優れた熱伝導部材９が貼付されているため、上下に隣接する製氷領域１０の間を流れる製氷水にも熱伝導部材９を介して冷却パイプ２からの冷熱が伝わり、上下に並んだ氷塊１１の間に氷１２が形成される。ここで、熱伝導部材９は互いに隣接する縦リブ８の間隔すなわち製氷領域１０の幅より狭い幅を有しているので、図２及び図３に示されるように、上下の製氷領域１０の境界部分に形成される氷１２は氷塊１１より小さく、この小さな氷１２によって上下に隣接する氷塊１１の間が部分的に連結されることとなる。このようにして、互いに隣接する縦リブ８の間には、上下方向に配列された複数の氷塊１１が小さな氷１２により一体に連結された連結氷１３が形成される。
【００１２】
一方、除氷サイクル時には、冷媒供給回路３から冷却パイプ２への低温冷媒の供給が停止されると共に製氷水供給部６から製氷用散水器４への製氷水の供給が停止され、代わりに除氷水供給部７から除氷用散水器５へ常温の除氷水が供給されると共に冷却パイプ２に高温冷媒が供給される。これにより、製氷板１の表面との氷塊１１及び小さな氷１２の接触部が融解してこれら氷塊１１及び小さな氷１２は自重により製氷板１から離れて落下する。互いに隣接する縦リブ８の間に上下方向に配列形成された複数の氷塊１１は小さな氷１２により一体に連結された連結氷１３として形成されているので、一体のまま連結氷１３全体が落下する。このとき、いずれかの製氷領域１０にて氷塊１１の製氷板１との接触部の融解が進むことによって、連結氷１３全体の落下が促進されるので、小さな氷１２で連結せずに複数の氷塊１１が個別に形成される場合に比べてすべての氷塊１１の落下に要する時間が短縮される。
【００１３】
このようにして製氷板１の表面から離脱した連結氷１３は下方に設置された図示しない貯氷庫内へ落下するが、氷塊１１と氷塊１１とを連結している氷１２は氷塊１１に比べて小さいので、落下の衝撃により小さな氷１２が砕けて各氷塊１１は互いに分離しバラバラな状態となる。
【００１４】
以上のように、氷塊１１と氷塊１１とを小さな氷１２で連結した連結氷１３を形成するようにしたので、除氷時に落下しやすくなり、その際の氷の融解量が少なく、その結果、日産製氷能力が向上する。また、除氷時間が短縮化されるので、除氷水の使用量が少なくなる。
【００１５】
【発明の効果】
以上説明したように、この発明に係る縦型製氷機によれば、複数の製氷領域に渡って上下方向に延びる熱伝導部材を製氷板の裏面に貼付したので、氷の落下が促進され、除氷時間の短縮化を図ることが可能となる。
【図面の簡単な説明】
【図１】本発明の実施の形態に係る縦型製氷機の構成を示す図である。
【図２】実施の形態で用いられた製氷板を示す部分正面図である。
【図３】実施の形態で用いられた製氷板を示す部分断面図である。
【図４】従来の縦型製氷機の製氷板を示す斜視図である。
【図５】従来の縦型製氷機の製氷板を示す部分断面図である。
【符号の説明】
１…製氷板、２…冷却パイプ、３…冷媒供給回路、４…製氷用散水器、５…除氷用散水器、６…製氷水供給部、７…除氷水供給部、８…縦リブ、９…熱伝導部材、１０…製氷領域、１１…氷塊、１２…氷、１３…連結氷。
【図１】
2004184020.tif 000003
【図２】
2004184020.tif 000004
【図３】
2004184020.tif 000005
【図４】
2004184020.tif 000006
【図５】
2004184020.tif 000007